(57)【要約】【課題】小容器の開封を容易かつ確実に行い、しかも、容器本体の収納室内に収納された薬剤に小容器に封入された薬剤をより確実に混合することができる医療用複室容器を提供する。【解決手段】仕切り用弱シール部１３により、薬剤を収納可能な複数の収納室９，１１に仕切られた容器本体５と、該容器本体５に取り付けられた薬剤排出部７と、収納室９，１１の少なくとも１つに収納され、内部に薬剤を収納した小容器１５とを備え、仕切り用弱シール部１３は、容器本体５の対向する内壁面を離間可能に固着することで構成され、小容器１５は、仕切り用弱シール部１３の開封に伴う内壁面の離間に伴われて開封するように、容器本体５の対向する内壁面のそれぞれに固着された第１固着部１９と、第１固着部１９よりも仕切り用弱シール部１３から離れた箇所で、容器本体５の対向する内壁面の少なくともどちらか一方に固着された第２固着部２０と、を有する医療用複室容器１を提供する。【選択図】図２
2006247378.tif 000002
【特許請求の範囲】
【請求項１】
仕切り用弱シール部により、薬剤を収納可能な複数の収納室に仕切られた容器本体と、
該容器本体に取り付けられた薬剤排出部と、
前記収納室の少なくとも１つに収納され、内部に薬剤を収納した小容器とを備え、
前記仕切り用弱シール部は、前記容器本体の対向する内壁面を離間可能に固着することで構成され、
前記小容器は、前記仕切り用弱シール部の開封に伴う前記内壁面の離間に伴われて開封するように、
前記容器本体の対向する内壁面のそれぞれに固着された第１固着部と、
前記第１固着部よりも前記仕切り用弱シール部から離れた箇所で、前記容器本体の対向する内壁面の少なくともどちらか一方に固着された第２固着部と、を有
する医療用複室容器。
【請求項２】
前記小容器は、その周縁が融着されて封止されており、
前記小容器の第１固着部及び第２固着部は、前記容器本体に熱融着されて前記仕切り用弱シール部と平行に延び、
前記第２固着部は、前記小容器の周縁上に間隔をあけて並設されている請求項１に記載の医療用複室容器。
【請求項３】
前記小容器の第１固着部は、前記仕切り用弱シール部内で前記内壁面に固着されている請求項１又は２に記載の医療用複室容器。
【請求項４】
前記小容器の第１固着部は、前記収納室内で前記内壁面に固着されている請求項１又は２に記載の医療用複室容器。
【請求項５】
前記小容器の第１固着部と前記仕切り用弱シール部との間の距離が、０〜５０ｍｍである請求項４に記載の医療用複室容器。
【請求項６】
前記小容器は、その周縁の少なくとも一部が熱融着によって封止され、該封止部分が外力によって開封可能に構成されている請求項１から５のいずれかに記載の医療用複室容器。
【請求項７】
前記第１固着部及び第２固着部の少なくとも一方は、前記周縁の熱融着部分に形成されている請求項６に記載の医療用複室容器。
【請求項８】
前記周縁の熱融着部分よりも内側の非融着部分に、前記収納室の内壁面に固着される第１固着部が形成されている請求項６に記載の医療用複室容器。
【請求項９】
前記小容器の第１固着部は、間隔をあけて並ぶように構成されている請求項４から８のいずれかに記載の医療用複室容器。
【請求項１０】
前記小容器は、多層フィルムにより構成され、該多層フィルムの層間剥離を伴って開封する請求項１から９のいずれかに記載の医療用複室容器。
【請求項１１】
前記小容器が収納されている収納室に前記薬剤排出部が接続されている請求項１から１０のいずれかに記載の医療用複室容器。
【請求項１２】
前記薬剤排出部と前記収納室とを開封可能に仕切る排出用封止部をさらに備えている請求項１から１１のいずれかに記載の医療用複室容器。
【請求項１３】
前記小容器に、抗生物質、抗癌剤、強心剤、ビタミン、又は微量元素から選ばれる薬剤が収納されている請求項１から１２のいずれかに記載の医療用複室容器。
【発明の詳細な説明】
【技術分野】
【０００１】
本発明は、同時に配合すると経時変化を起こすような不安定な各種薬剤を個別に封入する複数の収納室を備え、各収納室間を仕切っている仕切り用弱シール部を開封することにより、各収納室内に封入されている薬剤を無菌状態で且つ異物を発生させることなく混合できる医療用複室容器に関するものである。
【背景技術】
【０００２】
消化器手術等の術後の患者は、経口摂取ができない場合が多いため、患者の栄養管理は、一般に中心静脈投与用の高カロリー輸液（ＩＶＨ）により行われている。ＩＶＨでは、通常、栄養源である糖質、アミノ酸、及び電解質が投与されるが、例えばブドウ糖とアミノ酸とを同一の容器に収納して保存すると、いわゆるメイラード反応によって混合液が褐変するため、これらは別々に収納しておく必要がある。そのため、これらの薬剤を個別に収納する医療用複室容器が近年普及している。
【０００３】
この医療用複室容器は、例えばアミノ酸を含む輸液とブドウ糖を含む輸液とがそれぞれ収納される２つの収納室と、これら収納室を隔離するように仕切る封止部とから構成されている。封止部は、各薬剤が混合しないように収納室間を常時は閉じ、使用に際して開封するように構成されている。そして、使用の際に一方の収納室を押圧すると、この収納室内の圧力が高まって封止部が開封し、２室の薬剤が混合される。続いて、複室容器に設けられた排出口に導管を接続すると、混合された薬液を患者に投与することができる。
【０００４】
ところで、ＩＶＨを使用する際、その使用期間が長期に亘ると、輸液製剤に含まれていない微量元素やビタミンの欠乏症を引き起こすことが指摘されている。しかしながら、ビタミン類の薬液製剤は、安定性に欠けるものであるため、ＩＶＨ用の輸液製剤に混入しておくことが困難であった。これを解決するため、本出願人は、国際公開第９９／３９６７９号パンフレットに記載の複室容器を提案している。この複室容器は、上記した従来の構成に加え、ビタミン類の薬液を収納した小容器を一方の収納室内に備えている。この小容器は、外部から押圧することにより開封するように構成されている。そして、使用の際には、封止部を開封して２室の薬液を混合するとともに、収納室の外部から、その内部に配置された小容器を押圧して開封し、ビタミン類の薬液をこの混合液に混入させていた。
【０００５】
ところが、上記構成では、封止部の開封に加え、小容器の開封作業を別途行う必要があるため、作業が煩雑になるという問題がある。特に、多忙な医療現場で、このような煩雑な作業は、作業者にとって大きな負担になることが多い。そこで、本出願人は、国際公開第０３／０９２５７４号パンフレットに記載の複室容器を提案している。この複室容器は、小容器が仕切り用弱シール部の開封に伴われて開封するように構成されている。
【特許文献１】国際公開第９９／３９６７９号パンフレット
【特許文献２】国際公開第０３／０９２５７４号パンフレット
【発明の開示】
【発明が解決しようとする課題】
【０００６】
しかしながら、上述したような複室容器では、図３（ａ）に示すように、小容器１５の開封の際に、まれに一方の第１固着部１９が剥がれてしまうことがある。これにしたがって、小容器１５が折れ曲がることがあり、その折れ曲がった部分が、小容器１５内の薬剤が収納室内の薬剤へ混合する際の通路を塞いでしまい、小容器１５内の薬剤の一部が混合されにくいといった問題が生じる可能性がある。
【０００７】
そこで、本発明は、上記問題を解決するためになされたものであり、小容器の開封を容易かつ確実に行い、しかも、容器本体の収納室内に収納された薬剤に小容器に封入された薬剤をより確実に混合することができる医療用複室容器を提供することを目的とする。
【課題を解決するための手段】
【０００８】
本発明は、上記問題を解決するためになされたものであり、仕切り用弱シール部により、薬剤を収納可能な複数の収納室に仕切られた容器本体と、該容器本体に取り付けられた薬剤排出部と、前記収納室の少なくとも１つに収納され、内部に薬剤を収納した小容器とを備え、前記仕切り用弱シール部は、前記容器本体の対向する内壁面を離間可能に固着することで構成され、前記小容器は、前記仕切り用弱シール部の開封に伴う前記内壁面の離間に伴われて開封するように、前記容器本体の対向する内壁面のそれぞれに固着された第１固着部と、前記第１固着部よりも前記仕切り用弱シール部から離れた箇所で、前記容器本体の対向する内壁面の少なくともどちらか一方に固着された第２固着部と、を有する医療用複室容器を提供するものである。
【０００９】
前記小容器は、その周縁が融着されて封止されており、前記小容器の第１固着部及び第２固着部は、前記容器本体に熱融着されて前記仕切り用弱シール部と平行に延び、前記第２固着部は、前記小容器の周縁上に間隔をあけて並設されているよう構成することができる。
【００１０】
前記小容器の第１固着部は、前記仕切り用弱シール部内、或いは前記収納室内で前記内壁面に固着されているものとすることができる。小容器が、収納室内で固着されている場合には、前記小容器の第１固着部と前記仕切り用弱シール部との間の距離を、０〜５０ｍｍとすることが好ましい。
【００１１】
小容器は、その周縁の少なくとも一部が熱融着によって封止されるとともに、この封止部分が外力によって開封可能に構成されることがさらに好ましい。このとき、前記第１固着部及び第２固着部の少なくとも一方は、前記周縁の熱融着部分に形成されているものとすることができる。
または、前記周縁の熱融着部分よりも内側の非融着部分に、前記収納室の内壁面に固着される第１固着部分が形成されているものとすることができる。
【００１２】
前記小容器の第１固着部は、間隔をあけて並ぶように構成されているものとすることができる。
【００１３】
また、前記小容器は、多層フィルムにより構成され、該多層フィルムの層間剥離を伴って開封するものとすることができる。
【００１４】
また、上記医療用複室容器において、前記薬剤排出部と前記収納室とを開封可能に仕切る排出用封止部をさらに備えているものとすることができる。
【発明の効果】
【００１５】
本発明では、小容器の一方面の少なくとも一端部及び他端部が容器本体の一方の内壁面に固着されているので、小容器が折れ曲がることなく、収納室内の薬剤に小容器内の薬剤をより確実に混合することができる。
【発明を実施するための最良の形態】
【００１６】
以下、本発明に係る医療用複室容器の実施形態について図面を参照しつつ説明する。以下の説明においては、複数の実施形態を通じて、同一又は同種の部分には、同一符号を付して説明を省略することがある。
【００１７】
（第１実施形態）
まず、本発明に係る医療用複室容器の第１実施形態について図面を参照しつつ説明する。図１は第１実施形態に係る医療用複室容器の平面図であり、図２は図１のＡ−Ａ線断面図である。
【００１８】
図１に示すように、この医療用複室容器１は、２枚のフィルムの周縁３を熱融着して矩形状に形成された容器本体５と、この容器本体５に接続され内部にゴム栓を有する薬剤排出部７とを備えている。容器本体５は、長手方向に並べて配置され薬剤が封入される第１収納室９及び第２収納室１１を有しており、２つの収納室９，１１は仕切り用弱シール部１３で仕切られている。第１収納室９には、後述するように薬剤が封入される小容器１５が収納されている。また、第２収納室１１には上記した薬剤排出部７が接続されており、この薬剤排出部７と対向する容器本体５の端部には、容器１を吊り掛けるための吊掛孔１７が形成されている。
【００１９】
なお、容器本体５を構成するフィルムの材質としては、ポリエチレン、ポリプロピレン、ポリスチレン等の熱可塑性樹脂等、種々の樹脂材料を採用することができる。また、単層のフィルムに限られず、多層構造のフィルムを使用することもでき、例えば、内層及び外層がポリエチレン、ポリプロピレン等のポリオレフィンで、中間層が環状オレフィンコポリマーである３層構造のフィルムを使用することができる。
【００２０】
仕切り用弱シール部１３は、容器本体５の２枚のフィルムを熱融着したものが好ましく、容器本体５の長手方向と略垂直な方向に延びている。また、この仕切り用弱シール部１３は、常時は２つの収納室９，１１を隔離し、使用に際して収納室内の圧力を高めることにより開封する程度の強度で融着されている。
【００２１】
各収納室９，１１には、予め混合或いは溶解しておくとメイラード反応等の経時変化を起こすため隔離する必要がある各種薬剤ａ，ｂがそれぞれ封入されており、例えば一方の収納室にアミノ酸を含有する溶液、他方の収納室に還元糖を含有する溶液を収納することができる。また、必要に応じていずれか一方の収納室に電解質等を封入することもできる。なお、液剤だけでなく、いずれか一方の収納室に固形薬剤を収納することもできる。
【００２２】
小容器１５は、図示例では、２枚の多層フィルムの周縁を融着して袋状に形成され、ビタミンＤ溶液が封入されている。多層フィルムは層間剥離が生じやすい３層構造のフィルムで構成されており、例えばポリ環状オレフィンをポリエチレンで挟んだものとすることができる。但し、これ以外にも、他のフィルムと相溶性の低い樹脂を中間層に配置したものとすれば、層間剥離を起こしやすいものとすることができ、例えば、ポリプロピレンをポリエチレンで挟んだものとすることもできる。このとき、最も内側の層の厚さを５〜５０μｍとするのが好ましい。なお、小容器１５には、上記ビタミンＤ溶液以外にも、各収納室９，１１に封入されている薬剤に直接混入するのが好ましくない種々の薬剤、例えば抗生物質、抗癌剤、強心剤等の粉末剤や液剤などを広範囲に選択することができる。また、液剤としては、特に限定されるものではないが、ビタミン類や微量元素の液剤、生理食塩液やブドウ糖液などの溶解液、輸液などを採用することができる。
【００２３】
また、図２（ａ）に示すように、小容器１５は多層フィルム１５ａ、１５ｂから構成され、小容器１５の一方面である多層フィルム１５ａ外面で、小容器１５の両側部のうち一端部が、容器本体５の一方の内壁面であるフィルム５ａ内面に固着されている。また、小容器１５の他方面である多層フィルム１５ｂ外面の一端部は、容器本体５の他方の内壁面であるフィルム５ｂ内面に固着されている。このように、容器本体５の対向する内壁面であるフィルム５ａ、５ｂ内面にそれぞれ固着された小容器１５の一端部が第１固着部１９を構成している。この第１固着部１９は、上記した仕切り用弱シール部１３から約１０ｍｍ離れた位置でこれと平行に延びており、容器本体５の周縁３と同様に、仕切り用弱シール部１３より強く、通常は剥離しない強度で融着されている。
また、前記多層フィルム１５ａの外面で、小容器１５の前記一端部よりも仕切り用弱シール部１３から離れている小容器１５の他端部がフィルム５ａの内壁面に熱融着され、この融着部分が第２固着部２０を形成している。この第２固着部２０も、仕切り用弱シール部１３と平行に延びており、容器本体５の周縁３と同様に、仕切り用弱シール部１３より強く、通常は剥離しない程度で融着されている。
【００２４】
次に、上記のように構成された医療用複室容器の使用方法について説明する。複室容器１内の薬剤を患者に投与するには、まず、第１或いは第２収納室９，１１を手で押さえる等して押圧し、収納室内の圧力を高める。これにより、仕切り用弱シール部１３が開封して第１及び第２収納室９，１１が連通し、各収納室９，１１内の薬剤が混合される。このとき、仕切り用弱シール部１３の開封は、容器本体５の各フィルム５ａ，５ｂが離間することで行われ、これに伴って小容器１５が開封する。
【００２５】
すなわち、図２（ｂ）に示すように、容器本体５のフィルム５ａ，５ｂが離間すると、この離間に伴う力Ｆが小容器１５に作用する。このとき、小容器１５の２枚の多層フィルム１５ａ，１５ｂは第１固着部１９により容器本体５のフィルム５ａ，５ｂに固定されているため、多層フィルム１５ａ，１５ｂは容器本体５のフィルム５ａ，５ｂとともに離間される。その結果、小容器１５を構成するいずれかの多層フィルム１５ａ，１５ｂが層間剥離を起こし、これに伴って多層フィルムが破断する。こうして、小容器１５内に封入されたビタミンＤ溶液が、上記のように混合された薬液内に混入する。続いて、薬剤排出部７のゴム栓に導管（図示省略）が接続された刺栓針（図示省略）を刺入すると、混合された薬液が導管を介して患者に投与される。
【００２６】
以上のように、本実施形態によれば、小容器１５を構成する多層フィルム１５ａ，１５ｂを仕切り用弱シール部１３の近傍で、第１固着部１９により第１収納室９の内壁面に強く融着している。このため、仕切り用弱シール部１３の開封に伴い容器本体５のフィルム５ａ，５ｂが離間する力Ｆを第１固着部１９を介して小容器１５に伝達することができ、この力Ｆにより小容器１５を開封させることができる。したがって、小容器１５を別途開封する作業が不要になり、小容器１５を容易に、しかも確実に開封することができ、多忙な医療現場での作業者の負担を軽減することができる。
【００２７】
また、第２固着部２０をさらに有しているので、第１固着部１９の一方が外れてしまったときに下記のような効果を有する。すなわち、図３（ｂ）に示すように、フィルム５ａ，５ｂの少なくともどちらか一方に対する小容器１５の融着強度が弱く、第１固着部１９が剥がれてしまった場合でも、第２固着部２０で小容器１５が容器本体５に固定されているために小容器１５が折れ曲がることがない。よって、小容器１５が折れ曲がり、中に収納された薬剤が閉じこめられて混合が適切に行われない、といった問題を防ぐことができる。
【００２８】
本実施形態では、小容器１５を仕切り用弱シール部１３から１０ｍｍ離れた位置に取り付けているが、小容器１５を配置する位置は、これに限定されるものではなく、任意の位置にすることができる。但し、仕切り用弱シール部１３の開封の際に容器本体５のフィルム５ａ，５ｂが離間する力を効率的に伝達できるように、仕切り用弱シール部１３からの距離が０〜２０ｍｍであることが好ましく、３〜１０ｍｍであるとより好ましい。また、小容器１５の一部を仕切り用弱シール部１３内に挟み込むようにすることもできる。
【００２９】
さらに、図４に示すように、間隔１９ａをあけて第１固着部１９が並ぶように形成することもできる。
【００３０】
また、本実施形態では、第１固着部１９を小容器１５周縁の融着部分に形成しているが、このようにすると、小容器１５に対して熱融着が二重に施されるため、小容器１５を構成するフィルム１５ａ、１５ｂの材質等によっては、小容器１５周縁の強度が低下したり、破れが生ずることも考えられる。このため、図５に示すように、小容器１５周縁から内側の熱融着がされていない部分に第１固着部１９を形成して小容器１５を容器本体５に固着することもできる。同様に、第２固着部２０も、小容器１５周縁から内側の熱融着がされていない部分に形成することができる。
【００３１】
さらに、小容器１５の第２固着部２０の形成は、フィルム５ｂに形成することはもちろん、フィルム５ａ，５ｂの両内壁面に熱融着することもできる。
【００３２】
また、本実施形態では、第２固着部２０を小容器１５の周縁に一直線上に形成しているが、図６に示すように、第２固着部２０を小容器１５の周縁上に間隔２０ａをあけて並ぶように形成することもできる。このように第２固着部２０を形成することで、小容器１５内の薬剤を収納室９，１１内の薬剤に、より容易に且つ確実に混合することができる。
【００３３】
すなわち、上記実施形態で説明したように、収納室９，１１のどちらか少なくとも一方を押圧すると小容器１５は第１固着部１９側から開封される。その開封された部分から小容器１５内に収容室９，１１内の薬剤が流入する。ここで、第２固着部２０が形成された部分にあたる小容器１５の周縁は、第２固着部２０を熱融着により形成する際に加わる熱により、第２固着部２０が形成されていない間隔２０ａにあたる小容器１５の周縁に比べて、フィルム１５ａ、１５ｂ同士の融着強度が強い。したがって、前記流入した薬剤の勢いによる流圧は、融着強度の弱い間隔２０ａの部分にあたる周縁に集中して作用するために該周縁が開封し、小容器１５内の薬剤が収納室９，１１内の薬剤とより混合される。さらには、間隔２０ａにあたる小容器１５の周縁が開封されることで、小容器１５内に溜まったエアーを抜くことが容易になるという効果も奏する。なお、第２固着部２０の間隔２０ａは、小容器１５の幅の５〜９５％とすることが好ましく、５０〜９５％とすることがより好ましい。
【００３４】
ところで、このような複室容器１は、通常、２つ折にして収容袋に収容して運搬されるため、小容器１５を融着固定する第１固着部１９を所定の位置に設けると、次の効果を得ることができる。すなわち、図７に示すように、この第１固着部１９は、仕切り用弱シール部１３と平行に設けられている。そのため、第１収納室９が上になるようにし、且つ第１固着部１９が２つ折の折り目となって容器１の端部に配置されるようにすると、第１収納室９が押圧されて収納室９内の圧力が高まっても、この圧力により仕切り用弱シール部１３側へ作用する力は、第１固着部１９によって遮断される。また、第１固着部１９で２つ折にすることにより、容器本体５が第１固着部１９の近傍で膨らむのを防止することができる。したがって、運搬中に小容器１５が配置されている収納室が押圧されても、それによって仕切り用弱シール部１３が開封するのを防止することができる。
【００３５】
但し、第１固着部１９を折り目とすると、フィルムが折れることによる力が作用して第１固着部１９が破れるおそれもある。そのため、例えば、図５に示す線Ｌに沿って、つまり第１固着部１９の上縁に沿って容器を２つ折にすると、第１固着部１９の破断を確実に防止しつつ、上記した効果を得ることができる。なお、図７では、一つの収容袋Ｆに複室容器１を一つ収容しているが、二つ以上の複室容器１を収容することもできる。
【００３６】
また、本実施形態では、小容器１５を多層フィルム１５ａ，１５ｂで構成し、層間剥離を利用して開封しているが、単層のフィルム１５ａ，１５ｂを用いて次のように容器本体５に取り付けることもできる。すなわち、図８（ａ）に示すように、小容器１５の周縁の一部を熱融着等による弱シール部２１によって開封可能に構成するとともに、この弱シール部２１を構成するフィルム１５ａ，１５ｂの外面を、第１収納室９の内壁面に熱融着して第１固着部２３を形成する。このとき、第１固着部２３の熱融着が弱シール部２１に作用して、弱シール部２１の開封強度が高くならないようにする。すなわち、弱シール部２１の外面のみが第１収納室９の内壁面に熱融着されるようにする。この構成によっても、図８（ｂ）に示すように、仕切り用弱シール部１３の開封に伴って、小容器１５の弱シール部２１も開封するため、小容器１５内の薬液を混入させることができ、作業を容易に且つ確実に行うことができる。但し、製作容易の観点からすれば、多層フィルムを用いるのが好ましい。これは、多層フィルムを用いると、層間剥離を生じさせることができるように、小容器１５のフィルムの厚み方向全体に亘って強く熱融着ができるからである。
【００３７】
上記のような医療用複室容器は、種々の製造方法により製造することができるが、例えば次に示すような方法を一例として示すことができる。
【００３８】
図９に示すように、まず、容器本体周縁のうち、両側部を強く熱融着して強シール部３ａを形成するとともに、この強シール部３ａを結ぶ仕切り用弱シール部１３を形成する（図９（ａ））。続いて、薬液を封入した小容器１５を上側の収納室、つまり第１収納室９内に配置する。このとき、小容器１５が仕切り用弱シール部１３の近傍に配置されるようにする（図９（ｂ））。そして、小容器１５の仕切り用弱シール部１３側周縁の内側に第１固着部１９を形成し、さらに、第１固着部１９が形成される箇所と反対側の周縁の内側に第２固着部２０を形成して、容器本体５を構成するフィルムに小容器１５を固着する。（図９（ｃ））。このとき、小容器１５の周縁、つまり熱融着している部分に第１固着部１９及び第２固着部２０を形成することもできる。そして、容器本体上端部の開口から第１収納室９に薬液を注入した後（図９（ｄ））、容器本体５の上端部３ｂを熱融着して第１収納室９を封止する（図９（ｅ））。
【００３９】
また、図１０に示すように、容器本体５の上端部にポート部を設け、ここから薬液を注入することもできる。すなわち、上記と同様に、容器本体両側部の強シール部３ａ及び仕切り用弱シール部１３を形成して（図１０（ａ））、小容器１５を第１収納室９に配置した後（図１０（ｂ））、小容器１５を第１固着部１９及び第２固着部２０により固着するとともに、ポート部の挿入部分を除いて容器本体５の上端部３ｂを熱融着する（図１０（ｃ））。続いて、容器本体上端部３ｂの非融着部分にポート部１６を挿入し、ポート部１６と容器本体上端部３ｂとを熱融着により固定する（図１０（ｄ））。そして、ポート部１６を介して第１収納室９に薬液を注入した後（図１０（ｅ））、ポート部１６に栓１６ａをする（図１０（ｆ））。なお、ポート部を取り付けずに、非融着部分から薬液を注入した後、この部分を融着して封止するようにして製造することもできる。
【００４０】
上記各例における第２収納室１１については、例えば図１０（ｃ）〜図１０（ｆ）のようにして薬液の注入、及び薬剤排出部７の取付を行うことができる。
【００４１】
（第２実施形態）
次に、本発明の医療用複室容器に係る第２実施形態について説明する。この第２実施形態が、第１実施形態と相違するのは、次に説明する排出用弱シール部が設けられている点であり、その他の構成については第１実施形態と同様であるため、詳しい説明を省略する。
【００４２】
図１１に示すように、本実施形態に係る医療用複室容器１は、第２収納室１１と薬剤排出部７との間を仕切る排出用弱シール部（排出用封止部）２５を備えている。この排出用弱シール部２５は、排出部７の一端を囲むように円弧状に形成されており、仕切り用弱シール部１３とほぼ同様の強度で融着されている。なお、排出用弱シール部２５の形状は、円弧以外であってもよく、第２収納室１１と排出部７とを仕切っていれば、その形状は特に限定されない。
【００４３】
この複室容器１を使用する際には、まず、仕切り用弱シール部１３を開封し、これに伴って小容器１５を開封させて、薬液を混合する。次に、排出用弱シール部２５を開封し、これに続いて薬剤排出部７に刺栓針を刺入すると、混合された薬液が排出部７から排出される。
【００４４】
上記のような排出用弱シール部を設けると、次の効果を得ることができる。すなわち、従来は仕切り用弱シール部１３を開封する前に、誤って排出部７に刺栓針を刺入すると、混合前の第２収納室１１内の薬液が排出部７から排出されるおそれがあった。これに対して、上記排出用弱シール部２５を設けると、仕切り用弱シール部１３の開封前に刺栓針を刺入した場合であっても、第２収納室１１の薬液は、排出用弱シール部２５に遮断されて排出部７から排出されることがない。したがって、このように薬剤が排出されないため、作業者に正しい使用方法を喚起することができ、混合された薬液のみを確実に排出することができる。
【００４５】
なお、仕切り用弱シール部１３及び排出用弱シール部２５の開封強度は、同程度にしなくてもよく、いずれか一方が他方より弱くなるようにすることもできる。このようにいずれか一方が他方より開封し易いようにするためには、例えば、一方の弱シール部の一部に突出部を設けるとよい。図１２（ａ）に示すように、この例では、仕切り用弱シール部１３の中間にＶ字形に形成された突出部２７が設けられている。そして、図１２（ｂ）に示すように、第２収納室１１を押圧してその内部の圧力を高めると、弱シール部１３には図中の矢印の方向に圧力が作用する。このとき、圧力は弱シール部１３に対して垂直に且つ等しく作用するため、突出部２７の頂部Ｃ付近の領域に作用する総圧力は、弱シール部１３の他の領域に比べて高くなる。
【００４６】
こうして、図１２（ｂ）に示すように、この圧力は容器本体５を構成するフィルムを離間させる方向に作用し、収納室１１内の圧力がさらに高くなると、仕切り用弱シール部１３は、突出部２７の頂部Ｃから剥離を開始する。これにより、圧力の作用下に剥離が急速に進行し、排出用弱シール部２５に先立って、仕切り用弱シール部１３が開封し、これにより第１収納室９と第２収納室１１とが連通して薬剤が混合される。このとき、図示を省略しているが、小容器１５も同時に開封する。
【００４７】
上記のような突出部２７を設けると、２つの弱シール部１３，２５の幅を同一にし、さらに融着強度を同一にしたままで、弱シール部１３，２５の開封強度に差を設けることができる。したがって、融着時間等を調整する必要がなく、同一の条件で両弱シール部１３，２５を融着することができる。その結果、容器１の製造時間の短縮や製造コストの低減が可能になる。
【００４８】
また、上記のような排出用弱シール部２５を設ける以外に、例えば、排出部７における第２収納室１１側に、当該排出部７を閉じる封止部を設け、外部から圧力等が作用しないと第２収納室１１内の薬液が排出部７に到達しないように構成することもできる。このようにしても、封止部が開封しない間は、たとえゴム栓に刺栓針を刺入しても、第２収納室１１内の薬液が排出されるのを防止することができる。
【００４９】
（第３実施形態）
次に、本発明の医療用複室容器に係る第３実施形態について説明する。この実施形態が、第１実施形態と異なるのは、収納室に小容器のみを収納し、薬剤を直接収納していない点である。その他の構成については、第１実施形態と同様であるので、詳しい説明は省略する。
【００５０】
図１３に示すように、この実施形態に係る医療用複室容器は、第１収納室９に小容器１５のみが収納され、薬剤は収納されていない。一方、第２収納室１１には上記各実施形態と同様に液状薬剤ｂが直接収納されている。このように、本実施形態では、第１収納室９に薬剤を直接収納するのではなく、薬剤ａが封入された小容器１５を収納することで、第１収納室９に薬剤ａを収納することとしている。これにより、次のような利点がある。
【００５１】
まず、第１収納室９に収納すべき薬剤の量が変わった場合、容器本体５の大きさを変更することなく、小容器１５の大きさのみを変更することで対応することができる。例えば、第１収納室９に収納する薬剤が収納室の大きさに比べて非常に少量である場合には、薬剤が分散しやすくなるため、第２収納室１１の薬液ｂが第１収納室９のほぼ全体に行き渡らなければ、両者を混合するのは困難である。これに対して、小容器１５を薬剤ａの量に合わせて小型化しておけば、薬剤が分散することなく一箇所に集中した状態で保持することができる。したがって、仕切り用弱シール部１３及び小容器１５が開封したときに、小容器１５の薬剤ａと第２収納室１１の薬液ｂとを確実に混合することができる。
【００５２】
また、次の利点もある。例えば第１収納室９に収納すべき薬剤ａが、合成樹脂に吸着したり光劣化性を有する場合には、第１収納室９、つまり容器本体５を構成するフィルムが汚れたり、劣化する場合がある。このような場合には、小容器１５を構成するフィルムを薬剤が吸着しにくい材料で構成したり、或いは光劣化性が少ない材料で構成し、これを第１収納室９に収納する。このようにすると、小容器１５のみを収納すべき薬剤に対応させればよいため、容器本体３全体の材質を薬剤に合わせて変更する必要がない。したがって、上記のような薬剤を使用する際に、コストダウンが可能となる。
【００５３】
さらに、小容器１５は、容器本体５と別個に製造することができるため、小容器１５に収納される薬剤ａと、容器本体５の第２収納室１１に収納する薬剤ｂとを異なる滅菌方法で滅菌しなければならない場合であっても、容器本体５の製造設備に、上記２種類の滅菌用設備を設ける必要がない。すなわち、小容器１５の薬剤ａは、小容器１５を製造する設備で滅菌すればよいため、容器本体５の製造設備には第２収納室１１の薬剤の滅菌用設備のみを設けることができ、製造設備の簡素化を図ることができる。
【００５４】
上記説明では、第１収納室９に小容器１５を収納しているが、図１４に示すように、第２収納室１１に小容器１５を収納することもできる。この場合には、次のような利点がある。同図に示すように、第２収納室１１には、薬剤が直接収納されておらず、小容器１５のみが収納されている。そのため、例えば仕切り用弱シール部１３を開封する前に、薬剤排出部７に刺栓針を刺入した場合であっても、薬剤は排出されない。したがって、混合前の薬剤が排出されるのが防止される。また、このように構成することで、第２実施形態に示す排出用弱シール部２５を設けなくても混合前の薬剤の排出を防止することができる。
【００５５】
また、別の態様として、第１収納室９に薬剤と小容器１５を収納し、第２収納室１１を空室とすることもできる。このように構成すると、小容器１５を容易に開封できることは勿論のこと、上述のような混合前の薬剤の排出が防止できるという効果もある。
【００５６】
以上、本発明の実施形態について説明したが、本発明はこれらに限定されるものではなく、本発明の趣旨を逸脱しない限りにおいて種々の変更が可能である。
【００５７】
例えば、小容器を次のように構成すると、より開封しやすくすることができる。すなわち、図１５（ａ）に示すように、小容器１５の下端縁に複数の切り込み１８を形成すると、小容器１５のシートを離間する力が切り込み１８を介して小容器１５の周縁に伝達され、周縁が同図中の線Ｓに沿って破れやすくなる。したがって、シートの層間剥離に加えて、周縁が破れやすくなるため、小容器１５をより容易に開封することができる。また、図１５（ｂ）に示すように、小容器１５の下端縁１５ａを鋸刃状に形成しても同様の効果を得ることができる。或いは、図１５（ｃ）に示すように、小容器１５を構成するフィルムを、同図中のＸ方向に延伸して製造すると、フィルムはＸ方向に沿って裂けやすくなるため、これによっても小容器１５を容易に開封することができる。なお、Ｘ方向に沿って裂けやすいフィルムであれば、延伸以外の方法で製造されたフィルムを使用することもできる。また、図１６に示すように、小容器周縁の内側に鋸刃形状を設けることもできる。
【００５８】
なお、小容器１５をさらに開封しやすくするために、上記したものを適宜組み合わせることもできる。つまり、図１５（ａ）〜図１５（ｃ）に示したもののいずれか２つ又はすべてを組み合わせたものにすることができる。
【００５９】
また、上記実施形態では、仕切り用弱シール部１３及び排出用弱シール部２５をフィルムの熱融着によって構成しているが、これに限定されるものではなく、外部からの力の作用によって開封するものであれば、種々の態様を採ることができる。例えば、容器本体５の対向する各フィルム面に凸条部及び凹条部をそれぞれ設け、これらを離脱可能に凹凸嵌合させることによって構成することもできる。或いは、一部が他の部分より薄くなっている仕切り用の膜を設け、圧力が作用するとこの薄い部分が破断して両収納室が連通するようにすることもできる。この場合、小容器１５を膜の近傍に固着しておくと、両収納室９，１１が連通する際の容器本体５のフィルムの離間に伴って小容器１５を開封することができる。
【００６０】
また、小容器１５を容器本体５のフィルムに固定する第１固着部１９は、上記のように仕切り用弱シール部１３と平行でなくても、容器本体５のフィルムの離間に伴う力Ｆを小容器１５に伝達できるのであれば、その形状は特に限定されない。また、熱融着以外であっても、容器本体５に確実に固定できるのであれば、その構成は特に限定されない。また、第２固着部２０も、仕切り用弱シール部１３と平行である必要はなく、小容器１５が容器本体５内で折れ曲がらないように、小容器１５の一部を容器本体５に固着していれば良く、例えば図１７に示すように、仕切り用弱シール部１３と垂直の方向に形成することもできる。
【００６１】
また、上記実施例では、小容器１５の第１固着部１９を、第１収納室９又は第２収納室１１にて容器本体５の内壁面に固着しているが、この第１固着部１９を、図１８に示すように、仕切り用弱シール部１３内で固着することもできる。
【００６２】
さらに、小容器１５の構成も、上記のように多層フィルムで構成したり、周縁の一部を弱シール部で構成する以外であっても、容器本体５のフィルムの離間に伴って開封するように構成されていればよく、例えば小容器１５全体を破断しやすい薄いフィルムで構成することもできる。
【００６３】
また、小容器１５の数は、１つに限定されず、２つ以上設けることもでき、小容器を配置する収納室も上記のように第１収納室９だけでなく、第２収納室１１に配置することもできる。更に、小容器１５自体を隔壁で仕切られた複数の室を有するものとすることもできる。
【００６４】
また、収納室の数は、上記のように２つに限定されるものではなく、３つ以上にすることもでき、この場合、各収納室を上記のような仕切り用弱シール部で仕切っていればよい。そして、少なくとも一つの収納室に小容器が上記のような態様で配置されていればよい。
【００６５】
なお、上記の例では、各収納室を仕切る仕切り用弱シール部をフィルム面の熱融着による弱シール部としたものを挙げたが、それに代えて、容器本体の対向するフィルムを離間させる方向に、各フィルムを引っ張ることによって開封できる程度の強いシールとすることができる。その場合であっても、この強いシールの開封に伴って小容器が開封する効果に変わりはない。
【図面の簡単な説明】
【００６６】
【図１】本発明に係る医療用複室容器の第１実施形態を示す平面図である。
【図２】図１のＡ−Ａ線断面図である。
【図３】第１固着部１９が外れたときの従来例（ａ）及び本実施例（ｂ）を示す断面図である。
【図４】図１の医療用複室容器の他の例を示す平面図である。
【図５】図１の医療用複室容器の他の例を示す平面図である。
【図６】図１の医療用複室容器の他の例を示す平面図である。
【図７】図１の医療用複室容器を２つ折にした状態を示す断面図である。
【図８】図１の医療用複室容器の他の例を示す要部断面図である。
【図９】本発明に係る医療用複室容器の製造方法の例を示す図である。
【図１０】本発明に係る医療用複室容器の製造方法の例を示す図である。
【図１１】本発明に係る医療用複室容器の第２実施形態を示す平面図である。
【図１２】図８の医療用複室容器の他の例を示す要部平面図及び断面図である。
【図１３】本発明に係る医療用複室容器の第３実施形態を示す平面図である。
【図１４】本発明に係る医療用複室容器の第３実施形態の他の例を示す平面図である。
【図１５】本発明に係る医療用複室容器に用いられる小容器の他の例を示す図である。
【図１６】本発明に係る医療用複室容器に用いられる小容器の他の例を示す図である。
【図１７】本発明に係る医療用複室容器に用いられる小容器の他の固着例を示す平面図である。
【図１８】本発明に係る医療用複室容器に用いられる小容器の他の固着例を示す平面図（ａ）及び断面図（ｂ）である。
【符号の説明】
【００６７】
１  医療用複室容器
５  容器本体
７  薬剤排出部
９  第１収納室
１１  第２収納室
１３  仕切り用弱シール部
１５  小容器
１９  第１固着部
１９ａ  間隔
２０  第２固着部
２０ａ  間隔
【図１】
2006247378.tif 000003
【図２】
2006247378.tif 000004
【図３】
2006247378.tif 000005
【図４】
2006247378.tif 000006
【図５】
2006247378.tif 000007
【図６】
2006247378.tif 000008
【図７】
2006247378.tif 000009
【図８】
2006247378.tif 000010
【図９】
2006247378.tif 000011
【図１０】
2006247378.tif 000012
【図１１】
2006247378.tif 000013
【図１２】
2006247378.tif 000014
【図１３】
2006247378.tif 000015
【図１４】
2006247378.tif 000016
【図１５】
2006247378.tif 000017
【図１６】
2006247378.tif 000018
【図１７】
2006247378.tif 000019
【図１８】
2006247378.tif 000020